(57)【特許請求の範囲】
【請求項１】
ケース内にスライド自在に摺動型物を収納し、前記摺動型物にはその両側面から摺動接点が突出するように摺動子を取り付け、ケースの対向する両側面に設けた摺動子摺接面に前記摺動子の摺動接点を摺接させ、さらに前記両摺動子摺接面の内の一方の摺動子摺接面には摺動接点が移動する範囲にわたってコモン電極パターンを設け、他方の摺動子摺接面には隙間を介して複数のオンオフパターンを設けたことを特徴とするスライド式電子部品。
【請求項２】
前記摺動子は棒状部材を折り曲げることによって構成されていることを特徴とする請求項１記載のスライド式電子部品。
【請求項３】
前記摺動子はその中間部分を摺動型物に設けた摺動子固定部に取り付けられてこの摺動子固定部と前記ケースの間に挟持することで摺動型物に取り付けられていることを特徴とする請求項２記載のスライド式電子部品。
【請求項４】
前記ケースはモールド樹脂製であって、前記複数のオンオフパターン間の隙間部分には前記モールド樹脂からなるクリック部を設けたことを特徴とする請求項１記載のスライド式電子部品。
【請求項５】
前記ケースはモールド樹脂製であって、前記コモン電極パターンを金属板製としてこの金属板を屈曲して第二クリック部を設けたことを特徴とする請求項１記載のスライド式電子部品。
【発明の詳細な説明】
【０００１】
【発明の属する技術分野】
本発明は、スライド式スイッチ等のスライド式電子部品に関するものである。
【０００２】
【従来の技術】
従来、スライド式スイッチは電子機器や電子部品に利用されており、これら電子機器や電子部品の小型・薄型化に伴い、その小型・薄型化が要求され、近年ではその厚みが０．５〜０．７ｍｍ程度のものまで要求されている。
【０００３】
しかしながら従来のスライド式電子部品は、基板と上ケースの間にスライド自在に摺動型物を設置し、摺動型物の下面に取り付けた摺動子をこれに対向する基板に設けたスイッチパターンや抵抗パターンに摺接させるように構成されており、厚み方向に上ケースと摺動型物と摺動子と基板の厚みが必要なため、その薄型化に限界があり、強度のことも考えるとその厚みを１ｍｍ程度以下にすることは困難であった。
【０００４】
【発明が解決しようとする課題】
本発明は上述の点に鑑みてなされたものでありその目的は、薄型化が図れ、且つ構造・組み立てが簡単なスライド式電子部品を提供することにある。
【０００５】
【課題を解決するための手段】
上記問題点を解決するため本発明にかかるスライド式電子部品は、ケース内にスライド自在に摺動型物を収納し、前記摺動型物にはその両側面から摺動接点が突出するように摺動子を取り付け、ケースの対向する両側面に設けた摺動子摺接面に前記摺動子の摺動接点を摺接させ、さらに前記両摺動子摺接面の内の一方の摺動子摺接面には摺動接点が移動する範囲にわたってコモン電極パターンを設け、他方の摺動子摺接面には隙間を介して複数のオンオフパターンを設けたことを特徴とする。
【０００６】
また本発明は、前記摺動子が棒状部材を折り曲げることによって構成されていることを特徴とする。
【０００８】
また本発明は、前記摺動子がその中間部分を摺動型物に設けた摺動子固定部に取り付けられてこの摺動子固定部と前記ケースの間に挟持することで摺動型物に取り付けられていることを特徴とする。
【０００９】
また本発明は、前記ケースがモールド樹脂製であって、前記複数のオンオフパターン間の隙間部分には前記モールド樹脂からなるクリック部を設けたことを特徴とする。
【００１０】
また本発明は、前記ケースがモールド樹脂製であって、前記コモン電極パターンを金属板製としてこの金属板を屈曲して第二クリック部を設けたことを特徴とする。
【００１２】
【発明の実施の形態】
以下、本発明の実施の形態を図面を参照して詳細に説明する。
図１は本発明の一実施形態にかかるスライド式スイッチ１の分解斜視図である。同図に示すようにこのスライド式スイッチ１は、ケース１０内に摺動子４０を取り付けた摺動型物５０を収納し、その上を上ケース７０で覆って構成されている。以下各構成部品について説明する。
【００１３】
図２は前記ケース１０を反対側の側面から見た斜視図、図３は前記ケース１０内にインサート成形される三枚の金属板２５，３０，３５を示す斜視図である。図１〜図３に示すようにケース１０は三枚の金属板２５，３０，３５をインサートした状態でモールド樹脂を上面が開放された矩形状の薄い箱型に成形して構成されている。中央には摺動型物収納部１１が設けられる。
【００１４】
ここでまず三枚の金属板２５，３０，３５について説明する。図３に示すように金属板２５は直線状でほぼケース１０の全長にわたる長さに伸びるパターン形成部２６と、パターン形成部２６の後側から突出する舌片状の引出部２９とを具備して構成されている。パターン形成部２６はその略全長にわたってＬ字状に折り曲げられ、その前面側の表面がコモン電極パターン２７となっている。コモン電極パターン２７の所定部分には、ケース１０の内側方向に向かって金属板を台形状に屈曲・突出してなる第二クリック部２８が設けられている。第二クリック部２８の両側面は、傾斜状の当接面２８１，２８１となっている。
【００１５】
金属板３０と金属板３５は何れも直線状であって両者併せてほぼケース１０の全長にわたる長さになるパターン形成部３１，３６と、パターン形成部３１，３６の後側から突出する舌片状の引出部３２，３９とを具備して構成されている。パターン形成部３１，３６はその略全長にわたってＬ字状に折り曲げられ、その前面側の表面がそれぞれオンオフパターン３３，３７となっている。なお両オンオフパターン３３，３７の間には、所定間隔の隙間Ｓが設けられる。
【００１６】
そしてケース１０内部の両側面（摺動型物５０がスライドする方向に対して平行な両側面）である両摺動子摺接面には、前記金属板２５，３０，３５に形成したコモン電極パターン２７とオンオフパターン３３，３７とが露出している。従って金属板２５に設けた第二クリック部２８はケース１０の摺動型物収納部１１内に向かって突出している。一方オンオフパターン３３，３７間の隙間Ｓ（図３参照）の部分には、前記ケース１０を構成するモールド樹脂からなる凸状のクリック部１３が設けられている。
【００１７】
摺動型物収納部１１の上部周囲には、上ケース載置部１５が設けられている。またケース１０の両端面（摺動型物５０がスライドする方向に対して垂直な両側面）には貫通する長穴からなる係止片挿入部１７，１７が設けられている。係止片挿入部１７，１７の下面側には図７に示すように切り欠き状の係止片折曲部１９，１９が設けられている。
【００１８】
次に摺動子４０は図１に示すように、円柱棒状部材からなる弾性金属棒を略「コ」字状であって中央の基部４１からアーム部４３，４３を突出してその先端に外側に向かって弧状に湾曲して突出する摺動接点４５，４５を設けて構成されている。
【００１９】
摺動型物５０は合成樹脂を略矩形状に一体成形して構成されており、その上面中央にはつまみ５１を突出して設け、つまみ５１のスライド方向の一側部には開口からなるオンオフ状態表示部５３を設けている。ここで図４は摺動子４０と摺動型物５０とを裏面側から見た斜視図である。同図に示すように摺動型物５０の裏面には摺動子４０の基部４１を挿入・係止する溝状の摺動子固定部５５と、摺動子固定部５５の面と同じ面まで凹状に凹むことで摺動子４０のアーム部４３，４３を摺動型物５０の厚み内に収納するアーム部収納部５７，５７とを設けている。
【００２０】
図１に戻って上ケース７０は、金属板を略矩形状に形成すると共にその中央につまみ挿入穴７１を設け、またその両端辺から突出する係止片７３，７３を下方向に折り曲げ、さらに係止辺７３内にその折り曲げを容易にするためのスリット７５を設けて構成されている。
【００２１】
そしてスライド式スイッチ１の組み立ては、まず図４に示すように摺動型物５０の下面の摺動子固定部５５に摺動子４０の基部４１を挿入すると共に両アーム部４３，４３をアーム部収納部５７，５７内に位置させた状態のものを、図１に示すようにケース１０の摺動型物収納部１１内に挿入し、その上に上ケース７０を被せ、その際上ケース７０の両係止片７３，７３をケース１０の係止片挿入部１７，１７に挿入し、さらにスリット７５の部分で係止片７３の下側部分を外側に向けて折り曲げる（図７参照）ことで係止して上ケース７０をケース１０に固定する。
【００２２】
図５は以上のようにして組み立てられたスライド式スイッチ１の斜視図、図６は平面図、図７は概略断面図である。これらの図に示すように摺動型物５０のつまみ５１は上ケース７０のつまみ挿入穴７１から突出している。また図７に示すように摺動子４０はその基部４１が摺動型物５０に設けた摺動子固定部５５とケース１０表面の間に挟持されることで摺動型物５０に取り付けられている。
【００２３】
このとき図６に点線で示すように、摺動子４０の両摺動接点４５，４５はそれぞれコモン電極パターン２７と一方のオンオフパターン３７に当接しており、これによって引出部２９と引出部３９間をオンしている。
【００２４】
そして図６に示す状態からつまみ５１を矢印Ａ方向に移動すれば、摺動型物５０と共に摺動子４０も矢印Ａ方向に移動し、両摺動接点４５，４５がクリック部１３と第二クリック部２８を乗り越えてコモン電極パターン２７と他方のオンオフパターン３３に当接し、これによって引出部２９と引出部３９間をオフして引出部２９と引出部３２間をオンする。両摺動接点４５，４５がクリック部１３と第二クリック部２８を乗り越える際はクリック感覚を生じる。
【００２５】
この実施形態においてはクリック部としてクリック部１３と第二クリック部２８を設けたが、これは以下の理由による。
▲１▼２つのクリック部１３，２８を設けることで、小型でも確実なクリック感覚を生じるようにするためである。
【００２６】
▲２▼絶縁モールド樹脂製のクリック部１３を設けて両オンオフパターン３３，３７間を仕切ることで、摺動接点４５がオンオフパターン３３，３７間を移動する際のオンオフを確実にするためである。もしクリック部１３がなければ、摺動接点４５が両オンオフパターン３３，３７間を移動する際に放電によってオン状態が引きずられ、オンオフの切れが悪くなり、ショートしてしまう恐れがある。
【００２７】
▲３▼摺動型物５０を終端位置で確実に停止させておくためである。即ち本実施形態における第二クリック部２８は、その横幅をクリック部１３の横幅よりも長くし、またその側面を傾斜状の当接面２８１，２８１とすることで、摺動型物５０がケース１０内の何れか一方の終端位置に移動した際に、何れかのオンオフパターン３３，３７に摺動接点４５が当接すると同時に、もう一方の摺動接点４５が第二クリック部２８の何れかの（摺動型物５０が移動した側の）当接面２８１に当接するように構成されている。これによってケース１０内の何れか一方の終端位置に移動した摺動型物５０が常に当接面２８１に当接した摺動接点４５によって移動した方向に押圧されるので、終端位置での摺動接点４５が固定され、振動・衝撃が加わっても簡単には移動することはなく、摺動型物５０の位置決め・停止が確実に行なえて、同時に摺動型物５０のスライド方向のガタが生じなくなる。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えばクリック部１３や第二クリック部２８の形状・構造は種々の変形が可能であり、例えば図８（ａ），（ｂ）に示すようにその両側に凹部１３１，２８３を設けることで構成しても良い。またクリック部１３や第二クリック部２８を凸部とせず、凹部形状に構成しても良い。つまり例えば図２に示すクリック部１３を凸部ではなく凹部にしたり、図８（ａ），（ｂ）に示す凹部１３１，２８３だけでその中央に凸部を設けずにこれら凹部１３１，２８３そのものをクリック部１３や第二クリック部２８としても良い。また上記実施形態では本発明をスライド式スイッチに用いた例について説明したが、スライド式可変抵抗器等の他のスライド式電子部品に適用しても良い。
【００２９】
【発明の効果】
以上詳細に説明したように本発明によれば、以下のような優れた効果を有する。
▲１▼ケースの内側面に設けた摺動子摺接面に摺動型物の側面から突出する摺動子の摺動接点を摺接することでスライド式電子部品を構成したので、摺動子の厚みを摺動型物の厚みに包含でき、スライド式電子部品の薄型化が図れ、且つ構造が簡単で、組み立ても容易になる。
【００３０】
▲２▼摺動子を棒状部材を折り曲げることによって構成したのでその構造が簡単で薄型化し易い。
【００３１】
▲３▼摺動子の中間部分を摺動型物に設けた摺動子固定部に取り付けてこの摺動子固定部とケースの間に挟持することで摺動型物に取り付けるように構成したので、摺動子の取り付け作業が容易になり、小型・薄型化に対応できる。
【００３２】
▲４▼複数のオンオフパターン間の隙間部分にモールド樹脂からなるクリック部を設けたので、摺動接点がオンオフパターン間を移動する際のオンオフが確実に行なえるようになる。
【図面の簡単な説明】
【図１】本発明の一実施形態にかかるスライド式スイッチ１の分解斜視図である。
【図２】ケース１０を反対側の側面から見た斜視図である。
【図３】ケース１０内にインサート成形される三枚の金属板２５，３０，３５を示す斜視図である。
【図４】摺動子４０と摺動型物５０とを裏面側から見た斜視図である。
【図５】組み立てられたスライド式スイッチ１の斜視図である。
【図６】組み立てられたスライド式スイッチ１の平面図である。
【図７】組み立てられたスライド式スイッチ１の概略断面図である。
【図８】図８（ａ），（ｂ）はクリック部１３と第二クリック部２８の変形例を示す図である。
【符号の説明】
１  スライド式スイッチ（スライド式電子部品）
１０  ケース
１１  摺動型物収納部
１３  クリック部
２５  金属板
２７  コモン電極パターン
２８  第二クリック部
３０，３５  金属板
３３，３７  オンオフパターン
Ｓ  隙間
４０  摺動子
４５，４５  摺動接点
５０  摺動型物
５１  つまみ
５５  摺動子固定部
７０  上ケース
【図１】
0003841673.tif 000002
【図２】
0003841673.tif 000003
【図３】
0003841673.tif 000004
【図４】
0003841673.tif 000005
【図５】
0003841673.tif 000006
【図６】
0003841673.tif 000007
【図７】
0003841673.tif 000008
【図８】
0003841673.tif 000009